(57)【要約】【課題】  太線部とテーパー部との境界部を分かり易くしたテーパー状釣糸を提供する。【解決手段】  テーパー部２と、テーパー部２の大径側に連続するとともにテーパー部２の最大径と同一径の太線部３と、テーパー部２の小径側に連続するとともにテーパー部２の最小径と同一径の細線部３とを備え、太線部３とテーパー部２との境界部２０を視認するための識別部を、太線部３及びテーパー部２の少なくともいずれか一方に設ける。【選択図】  図１
2005328713.tif 000002
【特許請求の範囲】
【請求項１】
テーパー部（２）と、テーパー部（２）の大径側に連続するとともにテーパー部（２）の最大径と同一径の太線部（３）と、テーパー部（２）の小径側に連続するとともにテーパー部（２）の最小径と同一径の細線部（３）とを備え、
太線部（３）とテーパー部（２）との境界部（２０）を視認するための識別部が、太線部（３）及びテーパー部（２）の少なくともいずれか一方に設けられていることを特徴とするテーパー状釣糸。
【請求項２】
太線部（３）に識別部（２０）としての着色部（５、５ａ）が境界部（２０）を基点として所定範囲に設けられている請求項１に記載のテーパー状釣糸。
【請求項３】
テーパー部（２）に識別部としての着色部（６、６ａ）が境界部（２０）を基点として所定範囲に設けられている請求項１に記載のテーパー状釣糸。
【請求項４】
太線部（３）に識別部としての第１着色部（５０、５０ａ）が境界部（２０）を基点として所定範囲に設けられており、テーパー部（２）に第１着色部（５０、５０ａ）と異なる色の第２着色部（６０、６０ａ）が境界部（２０）を基点として所定範囲に設けられている請求項１に記載のテーパー状釣糸。
【発明の詳細な説明】
【技術分野】
【０００１】
本発明は、投げ釣りに使用されるテーパー状釣糸に関する。
【背景技術】
【０００２】
防波堤や砂浜から遠く離れたポイントまで仕掛けを投げるため、種々の遠投用の釣り道具が知られている。これら遠投用釣り道具の１つに太線部（力糸）と細線部（道糸）との結び目をなくしたテーパー状釣糸がある。テーパー状釣糸は、テーパー状に細くなるテーパー部と、テーパー部の最小径からその最小径と同一径で連続する細線部及びテーパー部の最大径からその最大径と同一径で連続する太線部とを有している。この太線部及びテーパー部は同じ色で着色されており、細線部は太線部及びテーパー部と異なる色に着色されている。太線部は、細線部では耐えられないような遠投時の重りの衝撃を吸収するように備えられている。
【発明の開示】
【発明が解決しようとする課題】
【０００３】
ところで、投げ釣りをするときは、テーパー部の最大径となる太線部に指をかけて投げなければテーパー部及び細線部に負荷がかかることになり、テーパー状釣糸が切れる可能性がある。しかしながら、釣り人が釣行を重ねていくと、仕掛けの交換により太線部の先端側が何度も切られることで太線部全体の長さが短くなり、釣り人が気付かないうちに太線部に指がかからなくなることがある。このように、太線部に指がかからなくなってくると、テーパー状釣糸を交換するべきであるが、太線部の残量が分かり難いので、テーパー状釣糸の交換時期が分かり難い。即ち、テーパー部と太線部とが同じ色で着色されているから、太線部とテーパー部との境界部が分かり難く、テーパー状釣糸の交換時期が分かり難いという問題があった。
【０００４】
一方、投げ釣りから生まれた独自のスポーツとして、スポーツキャスティングという競技がある。スポーツキャスティングとは、オモリに釣糸をつけた状態で釣り竿からオモリを遠くに飛ばし、オモリを飛ばした位置から落下地点までの飛距離を競う競技である。このスポーツキャスティングには、上述した太線部を有するテーパー状釣糸が使用される競技種目があり、競技者は、飛距離を伸ばすために太線部とテーパー部との境界付近に指をかけて投げるようにしている。これは、太線部よりも抵抗の少ないテーパー部及び細線部を送り出し易くすることで飛距離を伸ばすという考えに基づくものであって、そのため競技者は、太線部を自分の釣り竿の長さに応じてカットして、使用する太線部の長さを最短とする。しかしながら、上述の如く、テーパー状釣糸は太線部とテーパー部との境界部が分かり難いので、太線部がリールのスプールに巻き残る状態、即ち使用する太線部が長い状態となったり、逆に、短くしすぎて糸切れが生じたりすることがあった。
【０００５】
本発明は、上記問題に鑑みて、交換時期を容易に把握できると共に太線部を最短にして糸切れを防止しつつ飛距離をかせぐことができるテーパー状釣糸を提供することを課題とする。
【課題を解決するための手段】
【０００６】
本発明は、上記課題を解決すべくなされたものであり、本発明に係るテーパー状釣糸は、テーパー部と、テーパー部の大径側に連続するとともにテーパー部の最大径と同一径の太線部と、テーパー部の小径側に連続するとともにテーパー部の最小径と同一径の細線部とを備え、太線部とテーパー部との境界部を視認するための識別部が、太線部及びテーパー部の少なくともいずれか一方に設けられていることを特徴とする。
【０００７】
該構成のテーパー状釣糸にあっては、テーパー状に細くなるテーパー部と、テーパー部の最大径と同一径の太線部と、テーパー部の最小径と同一径の細線部とを備えている。太線部はテーパー部の大径側に連続し、細線部はテーパー部の小径側に連続している。即ち、太線部と細線部とはテーパー部を介して連続している。そのため、テーパー状釣糸は、太線部と細線部との結び目がある釣糸と比較して遠投時の抵抗が少ない。太線部とテーパー部との境界部を視認するための識別部が、太線部及びテーパー部の少なくともいずれか一方に設けられているので、使用者がテーパー状釣糸の太線部とテーパー部との境界部を識別できる。
【０００８】
特に、太線部に識別部としての着色部が境界部を基点として所定範囲に設けられていれば、太線部の着色部を見ただけで境界部を識別できるのでより好ましい。
【０００９】
また、テーパー部に識別部としての着色部が境界部を基点として所定範囲に設けられていても良い。
【００１０】
また、太線部に識別部としての第１着色部が境界部を基点として所定範囲に設けられており、テーパー部に第１着色部と異なる色の第２着色部が境界部を基点として所定範囲に設けられていても良い。
【発明の効果】
【００１１】
本発明のテーパー状釣糸にあっては、太線部とテーパー部との境界部を視認するための識別部が太線部及びテーパー部の少なくともいずれか一方に設けられており、太線部とテーパー部との境界部を使用者が簡単に視認できるので、テーパー状釣糸の交換時期を容易に把握でき、遠投時に太線部より細い部分に負荷がかかって発生する糸切れを防止できる。無論、スポーツキャスティング競技者が太線部を最短にして飛距離をかせぐこともできる。
【発明を実施するための最良の形態】
【００１２】
以下、本発明の一実施形態に係るテーパー状釣糸について、図１を参酌しつつ説明する。なお、図１は、テーパー状釣糸を説明する説明図である。テーパー状釣糸は細線部１（道糸）とテーパー部２と太線部３（力糸）とを備えている。
【００１３】
テーパー状釣糸は、細線部１の一端側を図示しないリールに取り付けてから巻回される。テーパー部２は、最細部１０と境界部としての最太部２０（以下境界部２０と言う）とを有している。最細部１０は、細線部１の他端側から連続しており、次第に太くなって境界部２０の太さとなる。境界部２０は太線部３の一端側から連続しており、次第に細くなって最細部１０の太さとなる。即ち、テーパー状釣糸は、太線部３と細線部１とがテーパー部２を介して連続している。なお、太線部３の長手方向の長さは、例えば１０ｍ程度であり、テーパー部２の最細部１０から境界部２０までの長さは例えば５ｍ程度である。また、テーパー状釣糸の材質としては、例えば、ＰＥ（ポリエチレン）、ナイロン等が使用されている。特にＰＥは化学的に安定した材質であるため劣化し難く、ナイロンと比して強度も高いのでテーパー状釣糸に使用すると好適である。
【００１４】
テーパー状釣糸は、太線部３とテーパー部２との境界部２０が分かる識別部としての着色部５を有している。図１に示すように、着色部５は太線部３全体に設けられており、テーパー部２は無色透明になっている。換言すると、太線部３に着色部５が境界部２０を基点にして太線部３の図示しない他端部までの範囲全体に設けられており、テーパー部２は境界部２０から最細部１０までの範囲全体が無色透明になっている。着色部５は、染料により着色されている。この染料は視認性の良いもの（例えば、蛍光色、白色、赤色、黄色等）を用いると境界部２０を識別し易いので好適である。また、テーパー状釣糸の着色部５は、テーパー状釣糸の外表面のみが着色されていても良いし、テーパー状釣糸の内部まで着色されていても良い。なお、太線部３及び細線部１とは、釣糸の分野において使用される号数の大きさによって示される。例えば、細線部１が０．４〜２号程度であれば、太線部３はそれよりも号数の大きい４〜８号程度である。なお、号数とは、糸の強度に対応するものであり、号数が大きいほど糸の強度が高いことを示す。因みに、上述したＰＥの場合、糸の強度が断面積の大きさに比例するので細線部１と太線部３との号数比から断面積の比率が分かる。また、図において斜線で示す範囲は、着色部を示すものである。
【００１５】
以上説明したように、テーパー状釣糸は、境界部２０を基点にして太線部３の図示しない他端部までの範囲全体に着色部５が設けられているので、太線部３とテーパー部２との境界部２０を識別し易い。そのため釣り人が気付かないうちに太線部３に指がかからなくなることで発生する遠投時の糸切れを防止できる。無論、スポーツキャスティング競技者が太線部３を最短にして飛距離をかせぐようにすることもできる。
【００１６】
なお、本発明の一実施形態に係るテーパー状釣糸は上記実施形態に限定されるものではなく、本発明の要旨を逸脱しない範囲において種々の変更が可能である。例えば、図２に示すように、識別部としての着色部５ａが太線部３の一部の範囲に設けられていてもよい。具体的には、太線部３に着色部５ａが境界部２０を基点にする一部の範囲のみ設けられていても良い。なお、テーパー部２全体の範囲、太線部３の着色部５ａを除く範囲は無色透明になっている。
【００１７】
また、図３に示すように、識別部としての着色部６がテーパー部２全体に設けられていてもよい。具体的には、テーパー部２に着色部６が境界部２０を基点にして最細部１０までの範囲全体に設けられていてもよい。さらに、図４に示すように、識別部としての着色部６ａがテーパー部２の一部の範囲にのみ設けられていてもよい。具体的には、テーパー部２に着色部６ａが境界部２０を基点にする一部の範囲のみ設けられていてもよい。なお、太線部３全体の範囲、テーパー部２の着色部６ａを除く範囲は無色透明になっている。
【００１８】
また、図５に示すように、太線部３に識別部としての第１着色部５０が太線部３全体に設けられ、第１着色部５０と異なる色の第２着色部６０がテーパー部２全体に設けられていてもよい。具体的には、太線部３に第１着色部５０が境界部２０を基点にして太線部３の図示しない他端部までの範囲全体に設けられ、テーパー部２に第２着色部６０が境界部２０を基点にして最細部１０までの範囲全体に設けられていても良い。さらに、図６に示すように、太線部３に識別部としての第１着色部５０ａが一部の範囲のみ設けられ、テーパー部２に第１着色部５０ａと異なる色の第２着色部６０ａが一部の範囲のみ設けられていてもよい。具体的には、太線部３に第１着色部５０ａが境界部２０を基点にする一部の範囲のみ設けられ、テーパー部２に第２着色部６０ａが境界部２０を基点にする一部の範囲のみ設けられていても良い。当然のことながら、太線部３の一部に第１着色部５０ａが設けられ、テーパー部全体に第２着色部６０が設けられていても良く、この反対、即ち、太線部３全体に第１着色部５０が設けられ、テーパー部の一部に第２着色部６０ａが設けられていても良い。
【００１９】
また、細線部１を着色して、細線部１とテーパー部２との境界部（最細部１０）を視認できるようにしても良い。
【図面の簡単な説明】
【００２０】
【図１】本発明の一実施形態に係る説明図である。
【図２】本発明の他の形態にかかる説明図である。
【図３】本発明の他の形態にかかる説明図である。
【図４】本発明の他の形態にかかる説明図である。
【図５】本発明の他の形態にかかる説明図である。
【図６】本発明の他の形態にかかる説明図である。
【符号の説明】
【００２１】
１…細線部、２…テーパー部、３…太線部、５…着色部、５ａ…着色部、６…着色部、６ａ…着色部、１０…最細部、２０…境界部、５０…第１着色部、５０ａ…第１着色部、６０…第２着色部、６０ａ…第２着色部
【図１】
2005328713.tif 000003
【図２】
2005328713.tif 000004
【図３】
2005328713.tif 000005
【図４】
2005328713.tif 000006
【図５】
2005328713.tif 000007
【図６】
2005328713.tif 000008